(57)【要約】【課題】この発明は、陶磁器と光りと香りと楽曲とにより人々の視覚、嗅覚、聴覚を穏やかに刺激して癒し効果を与え、緊張感、疲労感、ストレス等に軽減することができる癒し空間形成装置を実現することを目的とする。【解決手段】この発明は、陶磁器を載置する台座を設け、この台座には、前記陶磁器に光りを照射する光り照射ユニットと、香りを発生する香り発生ユニットと、楽曲を再生する楽曲再生ユニットと、前記各ユニットの動作の設定値を入力する操作パネルと、この操作パネルから入力された各動作の設定に従い前記各ユニットの動作を制御して前記陶磁器の周囲に光と香りと楽曲とを包含する癒し空間を形成する制御ユニットとの全て、若しくはその複数のユニットを搭載することを特徴とする。【選択図】図１
2008264434.tif 000002
【特許請求の範囲】
【請求項１】
陶磁器を載置する台座を設け、この台座には、前記陶磁器に光りを照射する光り照射ユニットと、香りを発生する香り発生ユニットと、楽曲を再生する楽曲再生ユニットと、前記各ユニットの夫々の動作の設定値を入力する操作パネルと、この操作パネルから入力された夫々の動作の設定値に従い前記各ユニットの動作を制御して前記陶磁器の周囲に光と香りと楽曲とを包含する癒し空間を形成する制御ユニットとの全て、若しくはその複数のユニットを搭載することを特徴とする癒し空間形成装置。
【請求項２】
前記陶磁器は、光りを透過し得る磁器であることを特徴とする請求項１に記載の癒し空間形成装置。
【請求項３】
前記光照射ユニットは、４色ＬＥＤ（赤、青、緑、白）からなる複数の発光体を備え、前記光りを透過し得る磁器の底部から内部に光りを照射するように前記光り照射ユニットを前記台座の上面に搭載したことを特徴とする請求項１又は請求項２に記載の癒し空間形成装置。
【請求項４】
前記香り発生ユニットを前記台座内に搭載したことを特徴とする請求項１に記載の癒し空間形成装置。
【請求項５】
前記楽曲再生ユニットは、楽曲信号を出力する楽曲信号出力部とこの楽曲信号出力部が出力する楽曲信号を楽曲音声に変換して出力する楽曲音声出力部とを備え、楽曲信号出力部と楽曲音声出力部とを前記台座内に搭載したことを特徴とする請求項１に記載の癒し空間形成装置。
【発明の詳細な説明】
【技術分野】
【０００１】
この発明は癒し空間形成装置に係り、特に、陶磁器と光りと香りと楽曲とにより人々の感覚を穏やかに刺激して癒し効果を与え、緊張感、疲労感、ストレス等を軽減することができる癒し空間形成装置に関する。
【背景技術】
【０００２】
近年は、仕事や人間関係等により人々に緊張感や疲労感、ストレス等を与えることが問題となり、これら緊張感等を緩和するための癒しが求められている。人々に癒し効果を与えるものとしては、例えば陶磁器等の美術品の鑑賞がある。人々は、陶磁器の美観を視覚により捕らえて脳の感覚神経を刺激することで、癒しを体感することができる。
【０００３】
人々に癒しを体感させる装置としては、側面に開口部を形成した陶磁器に光源を収容し、陶磁器の上部に生花を入れる水受けを搭載し、陶磁器の外観と開口部から漏れる光りと水受けに入れた生花とで視覚に訴えて落ち着いた雰囲気を醸し出すものがある。
【特許文献１】特開２００２−２０３４０９号公報
【発明の開示】
【発明が解決しようとする課題】
【０００４】
ところで、人間には、視覚、嗅覚、聴覚、触覚、味覚の五感があり、これらにより外部刺激を捕らえている。
【０００５】
ところが、これら五感による癒し効果を考えた場合に、従来の癒しを体感させる装置は、陶磁器や光り、生花などの視覚のみによる癒し効果だけであり、他の感覚による癒し効果を得ることができない問題がある。
【０００６】
この発明は、陶磁器と光りと香りと楽曲とにより人々の視覚、嗅覚、聴覚を穏やかに刺激して癒し効果を与え、緊張感、疲労感、ストレス等に軽減することができる癒し空間形成装置を実現することを目的とする。
【課題を解決するための手段】
【０００７】
この発明は、陶磁器を載置する台座を設け、この台座には、前記陶磁器に光りを照射する光り照射ユニットと、香りを発生する香り発生ユニットと、楽曲を再生する楽曲再生ユニットと、前記各ユニットの動作の設定値を入力する操作パネルと、この操作パネルから入力された各動作の設定に従い前記各ユニットの動作を制御して前記陶磁器の周囲に光と香りと楽曲とを包含する癒し空間を形成する制御ユニットとの全て、若しくはその複数のユニットを搭載することを特徴とする。
【発明の効果】
【０００８】
この発明の癒し空間形成装置は、台座に陶磁器を載置し、陶磁器に光りを照射し、香りを発生し、楽曲を再生することで、台座に載置した陶磁器の周囲に光りと香りと楽曲とを包含する癒し空間を形成することができるため、この癒し空間に接する人々の視覚、嗅覚、聴覚を陶磁器のデザインと光りと香りと楽曲とにより穏やかに刺激して癒し効果を与えることができ、緊張感、疲労感、ストレス等を軽減することができる。
【発明を実施するための最良の形態】
【０００９】
この発明の癒し空間形成装置は、陶磁器の周囲に光りと香りと楽曲とを包含する癒し空間を形成し、この癒し空間に接する人々の視覚、嗅覚、聴覚を穏やかに刺激して癒し効果を与え、緊張感、疲労感、ストレス等を軽減するものである。
以下、図面に基づいて、この発明の実施例を説明する。
【実施例】
【００１０】
図１〜図６は、この発明の実施例を示すものである。図１・図２において、２は陶磁器、例えば、各種の形状、文様、彩色等を有して形成された光りを透過し得る磁器２であり、４はこの磁器２を利用して癒し空間Ｓを形成する癒し空間形成装置である。癒し空間形成装置４は、光りを透過し得る磁器２を載置する台座６を設けている。
【００１１】
台座６は、四角板形状の下板部８の３辺を囲むようにコ字形状の側板部１０を取り付け、側板部１０の上部に四角板形状の上板部１２を取り付けて内部に収納空間１４を有するとともに側部に開口部１６を有する四角箱形状に形成される。収納空間１４の下板部８上には、開口部１６から出没可能な中板部１８を配設し、中板部１８の外端に開口部１６を閉塞する前板部２０を取り付けている。側板部１０及び上板部１２には、後述する香りや楽曲音声を放出するための複数の透孔２２を形成している。台座６は、上板部１２の上面に光を透過する磁器２を載置する
【００１２】
この台座６には、磁器２に光りを照射する光り照射ユニット２４と、香りを発生する香り発生ユニット２６と、楽曲を再生する楽曲再生ユニット２８と、各ユニット２４・２６・２８の夫々の動作の設定値を入力する操作パネル３０と、この操作パネル３０から入力された夫々の動作の設定値に従い各ユニット２４・２６・２８の動作を制御して、台座６の周囲に光りと香りと楽曲とを包含する癒し空間Ｓを形成する制御ユニット３２とを搭載している。また、台座６には、各ユニット２４・２６・２８の駆動源として、電源３４を接続している。
【００１３】
このように、癒し空間形成装置４は、図３に示すように、台座６に光り照射ユニット２４と香り発生ユニット２６と楽曲再生ユニット２８と操作パネル３０と制御ユニット３２との全てを搭載し、電源３４を接続している。
【００１４】
前記光照射ユニット２４は、４色ＬＥＤ（赤、青、緑、白）からなる複数の発光体３６を備えている。複数の発光体３６は、８色（赤、橙、黄、緑、青、藍、紫、白）を発光できるように、照明基板３８上に直線状、円環状、放射状などの適宜の形状に配置している。光照射ユニット２４は、図１に示すように、光りを透過し得る磁器２の底部４０から磁器２内部の全体に光りを均一に照射するように、磁器２の底部４０が接する台座６の上板部１２の上面に照明基板３８を搭載している。なお、発光体３６は、４色が同一パッケージ内に収められているＬＥＤでも良い。
【００１５】
前記香り発生ユニット２６は、容器４２に収納した香油を揮発させる空気ポンプ４４を備えている。空気ポンプ４４は、ポンプ４６をモータ４８により駆動して容器４２に空気を送給し、香油を揮発させる。香り発生ユニット２６は、夫々異なる香りを発生するように、この実施例においては３種の香り発生するように、図２に示すように、３つの香り発生ユニット２６を台座６内の中板部１８の右側・左側・奥側に夫々搭載している。
【００１６】
前記楽曲再生ユニット２８は、楽曲信号を出力する楽曲信号出力部５０と、この楽曲信号出力部５０が出力する楽曲信号を楽曲音声に変換して出力する楽曲音声出力部５２とを備えている。楽曲信号出力部５０は、例えば、ＣＤプレーヤやＭＰ３プレーヤ等の楽曲信号を出力するオーディオ機器からなる。楽曲音声出力部５２は、スピーカからなる。楽曲再生ユニット２８は、図２に示すように、楽曲信号出力部５０を台座６内の中板部１８の中央に搭載し、楽曲音声出力部５２を台座６内の中板部１８の右側・左側に夫々搭載している。
【００１７】
前記操作パネル３０は、各ユニット２４・２６・２８の夫々の動作の設定値を入力する入力キー５４と、入力された設定値や各ユニット２４・２６・２８の動作状態を表示する表示部５６とを備えている。入力キー５４と表示パネル５６とは、操作基板５８上に配設されている。操作パネル３０は、操作基板５８を台座６内の中板部１８の楽曲信号出力部５０よりも前側に搭載している。
【００１８】
前記制御ユニット３２は、信号の入出力回路６０と各ユニット２４・２６・２８の駆動回路６２とこれら回路６０・６２の動作を制御する制御回路６４とを備えている。入出力回路６０と駆動回路６２と制御回路６４とは、制御基板６６上に配設されている。制御基板６６は、前記操作パネル３０の操作基板５８下に配設されている。制御ユニット３２は、操作パネル３０から入力キー５４により入力された夫々の動作の設定値の信号を入出力回路６０に入力し、設定値に従い制御回路６４により駆動回路６２を作動させ、各ユニット２４・２６・２８の動作を制御する。
【００１９】
制御ユニット３２は、光り照射ユニット２４の複数の発光体３６の発光状態を異ならせるように、電源３４から各発光体３６に供給される電力を制御する。制御ユニット３２は、例えば、図４に示すように、制御回路６４の指示信号を駆動回路６２を構成する発光体用Ｄ／Ａコンバータ６８に送り、発光体用Ｄ／Ａコンバータ６８により指示信号に応じたアナログ電圧に変換し、発光体用電流増幅回路７０により電流を増幅し、電源３４の電圧を発光体３６に印加することで、発光状態を異ならせることができる。
【００２０】
また、制御ユニット３２は、複数の香りユニット２６の各容器４２の香油の揮発状態を異ならせるように、電源３４から各空気ポンプ４４のモータ４８に供給される電圧を制御する。制御ユニット３２は、例えば、図５に示すように、制御回路６４の指示信号を駆動回路６２を構成するモータ用Ｄ／Ａコンバータ７２に送り、ポンプ用Ｄ／Ａコンバータ７２により指示信号に応じたアナログ電圧に変換し、ポンプ用電流増幅回路７４により電流を増幅し、電源３４の電圧を複数の香りユニット２６の各空気ポンプ４４のモータ４８に印加することで、各香りの揮発状態を異ならせることができる。
【００２１】
さらに、制御ユニット３２は、楽曲再生ユニット２８の楽曲音声出力部５２が楽曲音声を出力するように、楽曲信号出力部５０の動作を制御する。このとき、制御ユニット３２は、楽曲信号出力部５０が例えばＣＤプレーヤであるとすると、図６に示すように、制御回路６４の指示信号を駆動回路６２を構成するＣＤコントロール用Ｉ／Ｆ回路７６に送り、ＣＤコントロール用Ｉ／Ｆ回路７６により指示信号をＣＤプレーヤの各操作ボタンが押された状態の信号になるように変換してＣＤプレーヤの動作を制御し、楽曲信号を出力させて楽曲音声出力部５２から楽曲音声を出力させる。また、制御ユニット３２は、ＣＤプレーヤのＬＣＤパネルの表示信号を駆動回路６２を構成するＣＤ状態確認用Ｉ／Ｆ回路７８に取り込み、ＣＤ状態確認用Ｉ／Ｆ回路７８により表示信号をＣＤプレーヤの状態を表す信号に変化して制御回路６４に送り込み、ＣＤプレーヤの動作状態を把握する。
【００２２】
次に作用を説明する。
癒し空間形成装置４は、図１に示すように、台座６の上板部１２の上面に光りを透過し得る磁器２を載置し、操作パネル３０の入力キー５４で各ユニット２４・２６・２８の夫々の動作の設定値を入力する。このとき、癒し空間形成装置４を操作する人は、台座６にお気に入りの磁器２を搭載し、現在の気持ちを癒すのに必要と思われる光りの状態や香り、楽曲を操作パネル３０により設定して入力する。癒し空間形成装置４は、入力された各ユニット２４・２６・２８の夫々の動作の設定値に従って、制御ユニット３２により各ユニット２４・２６・２８を動作させる。
【００２３】
光り照射ユニット２４は、８色（赤、橙、黄、緑、青、藍、紫、白）を発光できるように複数の発光体３６を照明基板３８上に配設し、発光状態を切り換えられる。この場合に、制御ユニット３２は、光照射ユニット２４の複数の発光体３６に夫々印加される各電圧を一定の周期で変化させることで、８色（赤、橙、黄、緑、青、藍、紫、白）がコロラマ的に変化するように発光（コロラマ調光）させることができ、光りを透過し得る磁器２が内部から様々に変化する光りで発光しているように、表現することができる。また、光り照射ユニット２４は、複数の発光体３６を円環状に配置することで、磁器２の表面の円周方向に延びる光の帯や、磁器２の表面の円周方向に光が回転する回り灯籠のように、表現することができる。
【００２４】
また、香り発生ユニット２６は、３種の香りが発生するように３つの香り発生ユニット２６を台座６内に夫々搭載し、３種の香りの発生状態を異ならせるように動作される。この場合に、制御ユニット３２は、３つの香り発生ユニット２６の３種の香りを設定された混合比率で発生するように、各空気ポンプ４４のモータ４８に電圧を印加することで、様々な香りを発生させることができる。
【００２５】
さらに、楽曲再生ユニット２８は、楽曲信号出力部５０と楽曲音声出力部５２とを台座６内に搭載し、楽曲音声を出力するように動作される。この場合に、制御ユニット３２は、落ち着いた楽曲を再生することで、穏やかな雰囲気を醸し出すことができる。
【００２６】
照射される光りと発生される香りと楽曲とは、操作パネル３０を操作することで、台座６の上面に載置した光りを透過し得る磁器２のデザインや、癒しを求める人の精神状態を考慮して、適宜に組み合わせることができる。
【００２７】
これにより、台座６に載置した磁器２の周囲には、光りが照射され、香りが発生され、楽曲が再生されることで、磁器２の周囲に光りと香りと楽曲とを包含する癒し空間Ｓが形成される。この癒し空間Ｓに接した人は、磁器２のデザインと光りと香りと楽曲とにより、視覚、嗅覚、聴覚を穏やかに刺激され、精神状態を癒される。
【００２８】
このように、この癒し空間形成装置４は、台座６に光りを透過し得る磁器２を載置し、磁器２に光りを照射し、香りを発生し、楽曲を再生することで、台座６に載置した磁器２の周囲に光りと香りと楽曲とを包含する癒し空間Ｓを形成することができるため、この癒し空間に接する人々の視覚、嗅覚、聴覚を穏やかに刺激して癒し効果を与えることができ、緊張感、疲労感、ストレス等を軽減することができる。
【００２９】
台座６に載置される磁器２は、その原料、焼成温度が高いことから強度が高く、また光の半透性の性質を有している。したがって、薄く置物ができるのでより光を通しやすくできる。また、光り照射ユニット２４が照射した磁器２を通して醸しだされる光は、半透性の性質であるが故に淡い光となり、磁器２の置物の形状や文様による癒し効果をさらに高めることができる。置物である磁器２の中に設置する光源の発光体３６は、赤、青、緑、白の４色ＬＥＤや有機ＥＬを配置することにより、あらゆる光の色をつくることができ、癒し効果の大きい中間的な淡い色を発光させることができる。
【００３０】
この癒し空間形成装置４は、まず、それだけでも美術的価値が高い磁器２があり、この磁器２は光りを透過し得る置物であり、この磁器２の置物の形状や文様に合った様々な光を磁器２の中から透過させることにより磁器２の美術的価値を更に高め、ひいては視覚的な癒し効果を増大させるものである。それに加え、この癒し空間形成装置４は、それが醸し出す癒しの空間Ｓに各自が最もふさわしいと感じる香りや楽曲を流すことにより、視覚的癒しの効果に加え、臭覚的、聴覚的癒し効果が加えられ、総合的に大きな癒し効果を得ることができる。
【００３１】
なお、この実施例の癒し空間形成装置４は、光り照射ユニット２４と香り発生ユニット２６と楽曲再生ユニット２８と操作パネル３０と制御ユニット３２との全てを搭載し、磁器２を周囲に光りと香りと楽曲とを包含する癒し空間Ｓを形成したが、これらユニット２４〜２８のうちの複数のユニットを搭載することで、廉価に作成することができる。
【００３２】
例えば、癒し空間形成装置４は、光り照射ユニット２４と１つの香り発生ユニット２６とを搭載している。光り照射ユニット２４は、図７に示すように、発光体３６の４色ＬＥＤの赤、青、緑の明るさを調整して色を変えるための駆動回路に、発光体３６に印加する電圧を発生する電圧発生回路８０を設け、電圧発生回路８０の発生電圧を決定するために、正極（＋）に接続した抵抗８２と負極（−）に並列に接続した複数の抵抗８４−１〜８４−８との間にロータリースイッチ８６を設けている。光り照射ユニット２４は、ロータリースイッチ８６で複数の抵抗８４−１〜８４−８を選択的に切り換えて、抵抗８２と選択された複数の抵抗８４−１〜８４−８の１つのとの抵抗値の比率で発生電圧を決定し、この決定された発生電圧を電圧発生回路８０に作用させ、発光体３６の印加電圧を可変としている。
【００３３】
この癒し空間形成装置４は、光り照射ユニット２４の発光体３６の４色ＬＥＤに印加する電圧をロータリースイッチ８６による複数の抵抗８４−１〜８４−８の抵抗値の切り換えで可変として色を変化させ、香り発生ユニット２６を１つとして空気ポンプ４４のモータ４８のオン・オフで香りを発生・停止し、楽曲再生ユニット２６を省くことで、磁器２の周囲に光りと香りとを包含する癒し空間Ｓを形成する。この場合は、光り照射ユニット２４の駆動回路の簡素化、香り発生ユニット２６の数の削減、楽曲再生ユニット２８の省略で、癒し空間形成装置４を廉価に制作することができる。
【００３４】
また、この実施例の癒し空間形成装置４は、癒しを求める人が光りの状態や香り、楽曲を操作パネル３０により設定して入力したが、癒しを受けたい各人毎に、その人が最大の癒し効果を得られる光りと香りと楽曲との最適な組み合わせを予め探し、この最適な組み合わせをプログラム化して制御ユニット３２に記憶させ、癒しを受けたい人が操作パネル３０によりその人自身の最適な組み合わせを操作パネル３０で選択可能とすることで、各人毎に最高の癒し効果を容易且つ適切に与えることができる。
【産業上の利用可能性】
【００３５】
この発明の癒し空間形成装置は、陶磁器と光りと香りと楽曲とにより癒し効果を与えることができるものであり、人々の緊張感、疲労感、ストレス等の軽減に適用することができる。
【図面の簡単な説明】
【００３６】
【図１】この発明の実施例を示す癒し空間形成装置の側面図である。
【図２】上板部を外した台座の平面図である。
【図３】癒し空間形成装置のブロック図である。
【図４】光り照射ユニットの回路図である。
【図５】香り発生ユニットの回路図である。
【図６】楽曲再生ユニットの回路図である。
【図７】応用例を示す光り照射ユニットの駆動回路の回路図である。
【符号の説明】
【００３７】
２  光りを透過し得る磁器
４  癒し空間形成装置
６  台座
２４  光り照射ユニット
２６  香り発生ユニット
２８  楽曲再生ユニット
３０  操作パネル
３２  制御ユニット
３４  電源
３６  発光体
４２  容器
４４  空気ポンプ
５０  楽曲信号出力部
５２  楽曲音声出力部
５４  入力キー
５６  表示部
６０  入出力回路
６２  駆動回路
６４  制御回路
【図１】
2008264434.tif 000003
【図２】
2008264434.tif 000004
【図３】
2008264434.tif 000005
【図４】
2008264434.tif 000006
【図５】
2008264434.tif 000007
【図６】
2008264434.tif 000008
【図７】
2008264434.tif 000009